(57)【要約】【課題】本発明は電気二重層キャパシタセル、これを含む電気二重層キャパシタパッケージ及びこの製造方法に関する。【解決手段】本発明による電気二重層キャパシタセルは、積層された複数の電気二重層キャパシタ単位セルから成り、上記電気二重層キャパシタ単位セルは第１及び第２端子引出部を有する第１及び第２集電体、上記第１及び第２集電体上に形成される第１及び第２電極、及び上記第１及び第２電極の間に形成される分離膜を含み、上記複数の第１及び第２端子引出部はひとつに結合され、上記電気二重層キャパシタ単位セルに電気を印加するための外部端子と連結される第１及び第２接合部を構成する。【選択図】図１
2011159977.tif 000002
【特許請求の範囲】
【請求項１】
積層された複数の電気二重層キャパシタ単位セルを備え、
前記複数の電気二重層キャパシタ単位セルの各々は、第１端子引出部を有する第１集電体、第２端子引出部を有する第２集電体、前記第１集電体上に形成される第１電極、第２集電体上に形成される第２電極、及び前記第１電極と前記第２電極との間に形成される分離膜を含み、
前記第１端子引出部の各々はひとつに結合され、前記複数の電気二重層キャパシタ単位セルの各々に電気を印加するための外部端子と連結される第１接合部を構成し、
前記第２端子引出部の各々はひとつに結合され、前記複数の電気二重層キャパシタ単位セルの各々に電気を印加するための外部端子と連結される第２接合部を構成する電気二重層キャパシタセル。
【請求項２】
前記第１接合部及び前記第２接合部の各々は、圧延により結合されたことを特徴とする請求項１に記載の電気二重層キャパシタセル。
【請求項３】
前記第１接合部及び前記第２接合部の各々は、屈曲部を有することを特徴とする請求項１または２に記載の電気二重層キャパシタセル。
【請求項４】
内部に収納空間を有し絶縁性樹脂から成る外装ケースと、
前記外装ケースに埋め込まれ、前記収納空間に露出される第１面と前記外装ケースの外部領域に露出される第２面を夫々有する第１外部端子及び第２外部端子と、
前記収納空間に配置され、請求項１から３の何れか１項に記載の電気二重層キャパシタセルと
を含み、
前記第１接合部は前記第１外部端子の前記第１面と電気的に連結され、前記第２接合部は前記第２外部端子の前記第１面と電気的に連結された電気二重層キャパシタパッケージ。
【請求項５】
前記第１接合部及び前記第２接合部は、超音波溶接により前記第１外部端子及び前記第２外部端子の第１面と連結されたことを特徴とする請求項４に記載の電気二重層キャパシタパッケージ。
【請求項６】
前記外装ケースは、前記絶縁性樹脂と前記第１外部端子及び前記第２外部端子がインサート射出成形により一体で成形されたことを特徴とする請求項４または５に記載の電気二重層キャパシタパッケージ。
【請求項７】
前記第１外部端子及び前記第２外部端子は、前記外装ケースの同一面に形成されたことを特徴とする請求項４から６の何れか１項に記載の電気二重層キャパシタパッケージ。
【請求項８】
前記外装ケースは、上面が開放された収納空間を有し、前記第１外部端子及び前記第２外部端子が埋め込まれた下部ケース、並びに前記収納空間を覆うように前記下部ケースに装着された上部キャップを含むことを特徴とする請求項４から７の何れか１項に記載の電気二重層キャパシタパッケージ。
【請求項９】
第１端子引出部を有する第１集電体、第２端子引出部を有する第２集電体、前記第１集電体上に形成される第１電極、第２集電体上に形成される第２電極、及び前記第１電極と前記第２電極との間に形成される分離膜を含む複数の電気二重層キャパシタ単位セルを積層する段階と、
前記第１端子引出部の各々をひとつに結合して前記複数の電気二重層キャパシタ単位セルの各々に電気を印加するための外部端子と連結される第１接合部を形成するとともに、前記第２端子引出部の各々をひとつに結合して前記複数の電気二重層キャパシタ単位セルの各々に電気を印加するための外部端子と連結される第２接合部を形成する段階と
を含む電気二重層キャパシタセルの製造方法。
【請求項１０】
前記第１接合部及び前記第２接合部は、圧延工程により形成されることを特徴とする請求項９に記載の電気二重層キャパシタセルの製造方法。
【請求項１１】
絶縁性樹脂と第１外部端子及び第２外部端子を一体で成形し、上面が開放された収納空間を有し、且つ、前記第１外部端子及び前記第２外部端子の第１面は前記収納空間に露出され、前記第１外部端子及び前記第２外部端子の第２面は外部領域に露出されるように下部ケースを形成する段階と、
第１端子引出部を有する第１集電体、第２端子引出部を有する第２集電体、前記第１集電体上に形成される第１電極、第２集電体上に形成される第２電極、及び前記第１電極と前記第２電極との間に形成される分離膜を含む複数の電気二重層キャパシタ単位セルを積層する段階と、
前記第１端子引出部の各々をひとつに結合して第１接合部を形成するとともに、前記第２端子引出部の各々をひとつに結合して第２接合部を形成し、前記第１接合部及び前記第２接合部を有する電気二重層キャパシタセルを構成する段階と、
前記収納空間に前記電気二重層キャパシタセルを配置する段階と、
前記第１接合部と前記第１外部端子の前記第１面を電気的に連結するとともに、前記第２接合部と前記第２外部端子の前記第１面を電気的に連結する段階と、
前記収納空間を覆うように上部キャップを前記下部ケース上に装着する段階と
を含む電気二重層キャパシタパッケージの製造方法。
【請求項１２】
前記第１接合部及び前記第２接合部は、圧延工程により形成されることを特徴とする請求項１１に記載の電気二重層キャパシタパッケージの製造方法。
【請求項１３】
前記第１接合部及び前記第２接合部は、超音波溶接により前記第１外部端子及び前記第２外部端子の前記第１面と連結されたことを特徴とする請求項１１または１２に記載の電気二重層キャパシタパッケージの製造方法。
【請求項１４】
前記下部ケースの形成は、インサート射出成形により行われることを特徴とする請求項１１から１３の何れか１項に記載の電気二重層キャパシタパッケージの製造方法。
【発明の詳細な説明】
【技術分野】
【０００１】
本発明は、電気二重層キャパシタセル、これを含む電気二重層キャパシタパッケージ及びこの製造方法に関するもので、より具体的には低い抵抗を有し、信頼性に優れた電気二重層キャパシタセル、これを含む電気二重層キャパシタパッケージ及びこの製造方法に関する。
【背景技術】
【０００２】
情報通信機器のような各種電子製品において安定したエネルギーの供給は重要な要素となっている。一般的にこのような機能はキャパシタ（Ｃａｐａｃｉｔｏｒ）によって行われる。即ち、キャパシタは情報通信機器及び各種電子製品の回路において電気を蓄積して送り出す機能を担当し、回路内の電気の流れを安定化させる役割をする。一般的なキャパシタは充放電時間が非常に短くて寿命が長く、出力密度は高いがエネルギー密度が小さいため貯蔵装置として使用するには制限がある。
【０００３】
このような限界を克服するために最近では充放電時間が短く、且つ出力密度が高い電気二重層キャパシタのような新しい範疇のキャパシタが開発され、二次電池とともに次世代エネルギー装置として脚光を浴びている。
【０００４】
電気二重層キャパシタ（Ｅｌｅｃｔｒｉｃ Ｄｏｕｂｌｅ Ｌａｙｅｒ Ｃａｐａｃｉｔｏｒ）は、極性が異なる一対の電極を利用するエネルギー貯蔵装置であって、継続的な充放電が可能であり、一般的な他のキャパシタに比べてエネルギー効率と出力が高く耐久性及び安定性に優れるという長所がある。これにより、最近、大電流で充放電することができる電気二重層キャパシタが携帯電話用補助電源、電気自動車用補助電源、太陽電池用補助電源等のように充放電の頻度が高い蓄電装置として有望視されている。
【０００５】
電気二重層キャパシタの基本的な構造は、多孔性電極のように表面積が相対的に大きい電極（ｅｌｅｃｔｒｏｄｅ）、電解液（ｅｌｅｃｔｒｏｌｙｔｅ）、集電体（ｃｕｒｒｅｎｔ ｃｏｌｌｅｃｔｏｒ）、分離膜（ｓｅｐａｒａｔｏｒ）から成っており、単位セル電極の両端に数ボルトの電圧を加えて電解液内のイオンが電気場に沿って移動し電極の表面に吸着して発生する電気化学的メカニズムを作動原理とする。
【発明の概要】
【発明が解決しようとする課題】
【０００６】
本発明の目的は低い抵抗を有し、信頼性に優れた電気二重層キャパシタセル、これを含む電気二重層キャパシタパッケージ及びこの製造方法を提供することである。
【課題を解決するための手段】
【０００７】
上記の課題を解決するために本発明の一実施形態は、積層された複数の電気二重層キャパシタ単位セルから成り、上記電気二重層キャパシタ単位セルは第１及び第２端子引出部を有する第１及び第２集電体、上記第１及び第２集電体 上に形成される第１及び第２電極、及び上記第１及び第２電極の間に形成される分離膜を含み、上記複数の第１及び第２端子引出部はひとつに結合され、上記電気二重層キャパシタ単位セルに電気を印加するための外部端子と連結される第１及び第２接合部を構成する電気二重層キャパシタセルを提供する。
【０００８】
上記第１及び第２接合部は、圧延により結合されることができる。
【０００９】
上記第１及び第２接合部は、屈曲部を有することができる。
【００１０】
本発明の他の実施形態は、内部に収納空間を有し絶縁性樹脂から成る外装ケースと、上記外装ケースに埋め込まれ、上記収納空間に露出される第１面と上記外装ケースの外部領域に露出される第２面を夫々有する第１及び第２外部端子と、上記収納空間に配置され、電気二重層キャパシタ単位セルが複数積層された電気二重層キャパシタセルとを含み、上記電気二重層キャパシタ単位セルは、第１及び第２端子引出部を有する第１及び第２集電体、上記第１及び第２集電体上に形成される第１及び第２電極、及び上記第１及び第２電極の間に形成される分離膜を含み、上記複数の第１及び第２端子引出部はひとつに結合される第１及び第２接合部を構成し、上記第１及び第２接合部は上記第１及び第２外部端子の第一面と電気的に連結された電気二重層キャパシタパッケージを提供する。
【００１１】
上記第１及び第２接合部は圧延により結合されることができ、上記第１及び第２接合部は屈曲部を有することができる。
【００１２】
上記第１及び第２接合部は、超音波溶接により上記第１及び第２外部端子の第１面と連結されたものであることができる。
【００１３】
上記外装ケースは、上記絶縁性樹脂と第１及び第２外部端子がインサート射出成形により一体で成形されたものであることができる。
【００１４】
上記第１及び第２外部端子は、上記外装ケースの同一面に形成されることができる。
【００１５】
上記外装ケースは上面が開放された収納空間を有し、第１及び第２外部端子が埋め込まれた下部ケース及び上記収納空間を覆うように上記下部ケースに装着された上部キャップから成ることができる。
【００１６】
本発明のさらに他の実施形態は、第１及び第２端子引出部を有する第１及び第２集電体、上記第１及び第２集電体上に形成される第１及び第２電極、及び 上記第１及び第２電極の間に形成される分離膜を含む複数の電気二重層キャパシタ単位セルを積層する段階と、上記複数の第１及び第２端子引出部をひとつに結合し、上記電気二重層キャパシタ単位セルに電気を印加するための外部端子と連結される第１及び第２接合部を形成する段階とを含む電気二重層キャパシタセルの製造方法を提供する。
【００１７】
上記第１及び第２接合部は、圧延工程により形成されることができる。
【００１８】
本発明のさらに他の実施形態は、絶縁性樹脂と第１及び第２外部端子を一体で成形し、上面が開放された収納空間を有し、且つ、上記第１及び第２外部端子の第１面は前記収納空間に露出され、第２面は外部領域に露出されるように下部ケースを形成する段階と、第１及び第２端子引出部を有する第１及び第２集電体、上記第１及び第２集電体上に形成される第１及び第２電極、及び上記第１及び第２電極の間に形成される分離膜を含む複数の電気二重層単位セルを積層する段階と、上記複数の第１及び第２端子引出部をひとつに結合し、第１及び第２接合部を有する電気二重層キャパシタセルを備える段階と、上記収納空間に上記電気二重層キャパシタセルを配置する段階と、上記第１及び第２接合部と上記第１及び第２外部端子の第１面を電気的に連結する段階と、上記収納空間を覆うように上部キャップを上記下部ケース上に装着する段階とを含む電気二重層キャパシタパッケージの製造方法を提供する。
【００１９】
上記第１及び第２接合部は、圧延工程により形成されることができる。
【００２０】
上記第１及び第２接合部と上記第１及び第２外部端子の第１面は、超音波溶接により連結されることができる。
【００２１】
上記下部ケースの形成は、インサート射出成形により行われることができる。
【発明の効果】
【００２２】
本実施形態によると、電気二重層キャパシタセルは複数の端子引出部がひとつに結合された接合部を有する。接合部は超音波融着によりパッケージの外部端子と連結されることができる。
【００２３】
接合部はひとつに結合された状態であり、外部端子との結合が容易で、超音波印加の際にパッケージの損傷を減らすことができる。また、接合部と外部端子の結合力が向上し、電解液の液出を防ぐことができ、接合部と外部端子の間の抵抗を減らすことができる。
【図面の簡単な説明】
【００２４】
【図１】本発明の一実施形態による電気二重層キャパシタセルを示す概略的な断面図である。
【図２ａ】本発明の一実施形態による電気二重層キャパシタパッケージを示す概略的な斜視図である。
【図２ｂ】図２ａのＩ−Ｉ'に沿って切開した電気二重層キャパシタパッケージを示す概略的な断面図である。
【図３ａ】本発明の一実施形態による電気二重層キャパシタセルの製造方法を説明するための工程別断面図である。
【図３ｂ】本発明の一実施形態による電気二重層キャパシタセルの製造方法を説明するための工程別断面図である。
【図４ａ】本発明の一実施形態による電気二重層キャパシタセルの製造方法を説明するための工程別断面図である。
【図４ｂ】本発明の一実施形態による電気二重層キャパシタセルの製造方法を説明するための工程別断面図である。
【図４ｃ】本発明の一実施形態による電気二重層キャパシタセルの製造方法を説明するための工程別断面図である。
【発明を実施するための形態】
【００２５】
以下、添付の図面を参照して本発明の好ましい実施形態を説明する。但し、本発明の実施形態は様々な他の形態に変形されることができ、本発明の範囲が以下で説明する実施形態に限定されるものではない。また、本発明の実施形態は当業界において平均的な知識を有する者に本発明をさらに完全に説明するために提供されるものである。従って、図面における要素の形状及び大きさ等はより明確な説明のために誇張されることもあり、図面上の同一の符号で示される要素は同一の要素である。
【００２６】
図１は、本発明の一実施形態による電気二重層キャパシタセルＡを示す概略的な断面図である。
【００２７】
図１を参照すると、本実施形態による電気二重層キャパシタセルＡは複数の電気二重層キャパシタ単位セル１１０、１２０、１３０、１４０、１５０が積層されたものである。
【００２８】
一番目の電気二重層キャパシタ単位セル１１０は、順次に積層された第１端子引出部１１２ａを有する第１集電体１１１ａと、第１電極１１３ａ、分離膜１１４、第２電極１１３ｂ、第２端子引出部１１２ｂを有する第２集電体１１１ｂを含む。
【００２９】
上記第１及び第２集電体１１１ａ、１１１ｂは、夫々上記第１及び第２電極１１３ａ、１１３ｂに電気的信号を伝達するための導電性シートであって、導電性ポリマーやゴムシートまたは金属箔（ｍｅｔａｌｌｉｃ ｆｏｉｌ）から成ることができる。上記第１及び第２集電体１１１ａ、１１１ｂは、夫々第１及び第２電極１１３ａ、１１３ｂが形成されない第１及び第２端子引出部１１２ａ、１１２ｂを有する。
【００３０】
上記第１及び第２電極１１３ａ、１１３ｂは、対向配置され、互いに異なる極性の電気が印加される。上記第１及び第２電極１１３ａ、１１３ｂは、分極性電極材料で形成されることができ、例えば、比表面積が比較的高い活性炭等を利用することができる。上記第１及び第２電極１１３ａ、１１３ｂは粉末活性炭を主材料とした電極物質スラリーを第１及び第２集電体１１１ａ、１１１ｂに固着させて製造することができる。
【００３１】
上記分離膜１１４は、イオンの透過が可能なように多孔性物質からなることができる。これに制限されるものではないが、例えば、ポリプロピレン、ポリエチレン、またはガラス繊維等の多孔性物質を使用することができる。 
【００３２】
図１に図示されたように、上記第２集電体１１１ｂの両面に電極が形成されることができ、これを利用して２番目の電気二重層キャパシタ単位セル１２０を積層することができる。
【００３３】
このような方式で複数の電気二重層キャパシタ単位セル１１０、１２０、１３０、１４０、１５０が積層され、上記各電気二重層キャパシタ単位セル１１０、１２０、１３０、１４０、１５０を構成する複数の第１集電体１１１ａ、１２１ａ、１４１ａの第１端子引出部１１２ａ、１２２ａ、１４２ａと第２集電体１１１ｂ、１３１ｂ、１５１ｂの第２端子引出部１１２ｂ、１３２ｂ、１５２ｂはひとつに結合される。ひとつに結合された第１端子引出部と第２端子引出部は、夫々電気二重層キャパシタ単位セルに電気を印加するための外部端子と連結される第１及び第２接合部１６０ａ、１６０ｂを構成する。
【００３４】
一般的に電気二重層キャパシタセルは、パッケージ工程により電気二重層キャパシタセルに電気を印加する外部端子と電気的に連結される。複数の電気二重層キャパシタ単位セルが積層される場合には複数の端子引出部を外部端子と連結させなければならない。
【００３５】
本実施形態によると、複数の端子引出部をひとつに結合して接合部を構成することによって、外部端子との連結を容易にする。
【００３６】
複数の端子引出部を結合する方法は、集電体を構成する物質によって適切に選択されることができ、例えば、集電体が金属箔から成る場合、圧延により行われることができる。
【００３７】
より具体的に、冷却圧延方法を利用して金属箔から成る複数の端子引出部をひとつに結合させることができる。これにより、第１及び第２接合部１６０ａ、１６０ｂは屈曲部を有することができる。
【００３８】
図示されたように、第１及び第２端子引出部は互いに反対方向に形成されることができ、これに制限されるものではなく、電気を印加する外部端子の位置によって第１及び第２端子引出部は同一の方向に形成されることができる。
【００３９】
図２ａは、本発明の一実施形態による電気二重層キャパシタパッケージを示す概略的な斜視図であり、図２ｂは図２ａのＩ−Ｉ'に沿って切開した電気二重層キャパシタパッケージを示す概略的な断面図である。
【００４０】
図２ａ及び図２ｂを参照すると、本実施形態による電気二重層キャパシタパッケージは、内部に収納空間１７１を有し、絶縁性樹脂から成る外装ケース１７０と上記外装ケース１７０の収納空間に配置される電気二重層キャパシタセルＡを含む。
【００４１】
上記外装ケース１７０には、電気二重層キャパシタセルＡに電気を印加するための第１及び第２外部端子１８０ａ、１８０ｂが埋め込まれている。上記第１及び第２外部端子１８０ａ、１８０ｂは、上記収納空間１７１に露出される第１面１８１ａ、１８１ｂと上記外装ケースの外部領域に露出される第２面１８２ａ、１８２ｂを有する。上記第１及び第２外部端子１８０ａ、１８０ｂは上記外装ケース１７０の外部領域と上記収納空間１７１の内部領域を連結する構造である。
【００４２】
上記外装ケース１７０は、インサート射出成形等により絶縁性樹脂と第１及び第２外部端子１８０ａ、１８０ｂを一体で成形して製造することができる。
【００４３】
上記外装ケース１７０の収納空間１７１には電気二重層キャパシタセルＡが配置され、上記電気二重層キャパシタセルＡは、上記収納空間１７１に露出された第１及び第２外部端子１８０ａ、１８０ｂの第１面１８１ａ、１８１ｂと電気的に連結される。上記第１及び第２外部端子１８０ａ、１８０ｂは電気二重層キャパシタセルＡを外部電源と電気的に連結するための１つの手段であることができる。
【００４４】
上記電気二重層キャパシタセルＡは、図１に図示されたように、複数の電気二重層キャパシタ単位セル１１０、１２０、１３０、１４０、１５０が積層されたものである。 
【００４５】
各電気二重層キャパシタ単位セルは、第１端子引出部１１２ａを有する第１集電体１１１ａと、第１電極１１３ａ、分離膜１１４、第２電極１１３ｂ、第２端子引出部１１２ｂを有する第２集電体１１１ｂを含む。
【００４６】
各電気二重層キャパシタ単位セル１１０、１２０、１３０、１４０、１５０を構成する複数の第１集電体１１１ａ、１２１ａ、１４１ａの第１端子引出部１１２ａ、１２２ａ、１４２ａと第２集電体１１１ｂ、１３１ｂ、１５１ｂの第２端子引出部１１２ｂ、１３２ｂ、１５２ｂはひとつに結合される第１及び第２接合部１６０ａ、１６０ｂを構成する。
【００４７】
上記第１及び第２接合部１６０ａ、１６０ｂは第１及び第２外部端子１８０ａ、１８０ｂの第１面１８１ａ、１８１ｂと電気的に連結される。
【００４８】
上記第１及び第２接合部１６０ａ、１６０ｂは上記第１及び第２外部端子１８０ａ、１８０ｂと電気的に連結されるようにその形状は適切に変更されることができる。
【００４９】
本実施形態によると、複数の端子引出部をひとつに結合して接合部を構成することによって、外部端子との連結を容易にする。
【００５０】
複数の端子引出部を結合する方法は、特に制限されず、例えば、集電体が金属箔から成る場合、圧延により行われることができる。
【００５１】
より具体的に、冷却圧延方法を利用して金属箔から成る複数の端子引出部をひとつに結合させることができる。これにより、第１及び第２接合部１６０ａ、１６０ｂは屈曲部を有することができる。
【００５２】
上記第１及び第２接合部１６０ａ、１６０ｂは、超音波融着により第１及び第２外部端子１８０ａ、１８０ｂの第１面１８１ａ、１８１ｂと連結されることができる。第１及び第２接合部１６０ａ、１６０ｂはひとつに結合された状態であり、第１及び第２外部端子との結合が容易で、超音波印加の際パッケージの損傷を減らすことができる。
【００５３】
また、第１及び第２接合部１６０ａ、１６０ｂと第１及び第２外部端子の結合力が向上し、電解液の液出を防ぐことができ、第１及び第２接合部と第１及び第２外部端子の間の抵抗を減らすことができる。
【００５４】
上記第１及び第２外部端子１８０ａ、１８０ｂは外装ケースの同一面に形成されており、電気二重層キャパシタパッケージは追加構造物がなくてもその構造自体で表面実装（ＳＭＴ）が可能である。そのため、第１及び第２外部端子１８０ａ、１８０ｂと外装ケース１７０はひとつの平面を成すことが好ましい。
【００５５】
本実施形態において、上記外装ケース１７０は上面が開放された収納空間を有し、第１及び第２外部端子１８０ａ、１８０ｂが埋め込まれた下部ケース１７０ａ及び上記収納空間を覆うように上記下部ケース１７０ａ上に装着された上部キャップ１７０ｂからなることができる。
【００５６】
上記外装ケース１７０は、絶縁性樹脂からなることができる。上記絶縁性樹脂は、これに制限されるものではないが、例えばポリフェニレンスルフィド（Ｐｏｌｙｐｈｅｎｙｌｅｎｅ ｓｕｌｆｉｄｅ、ＰＰＳ）または液晶高分子（Ｌｉｑｕｉｄ ｃｒｙｓｔａｌ ｐｏｌｙｍｅｒ、ＬＣＰ）であることができる。これにより上記電気二重層キャパシタは高い温度（約２４０−２７０℃ 程度）で進行される表面実装過程で内部構造を保護することができる。
【００５７】
図３ａ及び図３ｂは、本発明の一実施形態による電気二重層キャパシタセルの製造方法を説明するための工程別断面図である。
【００５８】
先ず、図３ａに図示されたように、複数の電気二重層キャパシタ単位セル１１０、１２０、１３０、１４０、１５０を積層し、電気二重層キャパシタセルを設ける。
【００５９】
電気二重層キャパシタ単位セル１１０は、第１端子引出部１１２ａを有する第１集電体１１１ａと、第１電極１１３ａ、分離膜１１４、第２電極１１３ｂ、第２端子引出部１１２ｂを有する第２集電体１１１ｂを順次に積層して形成することができる。
【００６０】
図３ａに図示されたように、上記第２集電体１１１ｂの両面に電極が形成されることができ、これを利用して２番目の電気二重層キャパシタ単位セル１２０を積層することができる。このような方式で複数の電気二重層キャパシタ単位セル１１０、１２０、１３０、１４０、１５０を積層することができる。 
【００６１】
次に、各電気二重層キャパシタ単位セル１１０、１２０、１３０、１４０、１５０を構成する複数の第１集電体１１１ａ、１２１ａ、１４１ａの第１端子引出部１１２ａ、１２２ａ、１４２ａと第２集電体１１１ｂ、１３１ｂ、１５１ｂの第２端子引出部１１２ｂ、１３２ｂ、１５２ｂをひとつに結合して第１及び第２接合部を形成する。第１及び第２接合部は電気二重層キャパシタセルに電気を印加するための外部端子と電気的に連結されるためのものである。
【００６２】
複数の端子引出部を結合する方法は、集電体を構成する物質に従って適切に選択されることができ、例えば、集電体が金属箔から成る場合は圧延工程により行われることができる。
【００６３】
より具体的に、図３ａに図示されたように、複数の第１端子引出部１１２ａ、１２２ａ、１４２ａ及び第２端子引出部１１２ｂ、１３２ｂ、１５２ｂの上面及び下面に夫々油圧プレスＰ１、Ｐ２を配置し、圧着して第１及び第２端子引出部をひとつに結合させることができる。これにより、図３ｂに図示されたように、複数の第１端子引出部１１２ａ、１２２ａ、１４２ａ及び第２端子引出部１１２ｂ、１３２ｂ、１５２ｂはひとつに結合された第１及び第２接合部１６０ａ、１６０ｂを有することができる。
【００６４】
また、油圧プレスの形状によって第１及び第２接合部１６０ａ、１６０ｂは屈曲を有することができる。
【００６５】
図４ａから図４ｃは、本発明の一実施形態による電気二重層キャパシタパッケージの製造方法を説明するための工程別断面図である。
【００６６】
先ず、図４ａに図示されたように、開放された収納空間１７１を有しながら、上記収納空間１７１に露出される第１面１８１ａ、１８１ｂと外部領域に露出される第２面１８２ａ、１８２ｂを有するように第１及び第２外部端子１８０ａ、１８０ｂが埋め込まれた下部ケース１７０ａを形成する。
【００６７】
上記下部ケース１７０ａを形成する方法は、絶縁性樹脂と第１及び第２外部端子１８０ａ、１８０ｂを一体で成形し、上記絶縁性樹脂に第１及び第２外部端子１８０ａ、１８０ｂが埋め込まれることができる方法であれば特に制限されない。例えばインサート射出成形（ｉｎｓｅｒｔ ｉｎｊｅｃｔｉｏｎ ｍｏｌｄｉｎg）を利用することができる。 
【００６８】
より具体的に、所望する下部ケースの形状を有する金型内に第１及び第２外部端子を配置し、上記金型内に絶縁性樹脂を充填する。金型に充填された絶縁性樹脂は金型内で冷却または架橋により第１及び第２外部端子と共に固化される。インサート成形により異なる材質を有する絶縁性樹脂及び第１及び第２外部端子は一体化される。
【００６９】
次に、図４ｂに図示されたように、上記下部ケース１７０ａの収納空間１７１に電気二重層キャパシタセルＡを配置する。
【００７０】
上記電気二重層キャパシタセルＡは上述したように、３ａ及び３ｂにより備えられることができる。
【００７１】
上記電気二重層キャパシタセルＡは複数の電気二重層キャパシタ単位セル１１０、１２０、１３０、１４０、１５０が積層されたものである。
【００７２】
電気二重層キャパシタセルＡは、各電気二重層キャパシタ単位セル１１０、１２０、１３０、１４０、１５０を構成する複数の第１集電体１１１ａ、１２１ａ、１４１ａの第１端子引出部１１２ａ、１２２ａ、１４２ａと第２集電体１１１ｂ、１３１ｂ、１５１ｂの第２端子引出部１１２ｂ、１３２ｂ、１５２ｂがひとつに結合された第１及び第２接合部１６０ａ、１６０ｂを有する。
【００７３】
次に、第１及び第２接合部１６０ａ、１６０ｂを上記収納空間１７１に露出された第１及び第２の外部端子１８０ａ、１８０ｂの第１面１８１ａ、１８１ｂと電気的に連結する。
【００７４】
上記第１及び第２接合部１６０ａ、１６０ｂは、第１面１８１ａ、１８１ｂと接触するために適切な形状に変更されることができる。
【００７５】
上記第１及び第２接合部１６０ａ、１６０ｂと第１面を接触し、超音波Ｕを印加して第１及び第２接合部１６０ａ、１６０ｂと第１及び第２の外部端子１８０ａ、１８０ｂの第１面１８１ａ、１８１ｂを電気的に連結することができる。
【００７６】
本実施形態によると、第１及び第２接合部１６０ａ、１６０ｂはひとつに結合された状態であり、第１及び第２外部端子１８０ａ、１８０ｂとの結合が容易で、超音波印加の際パッケージの損傷を減らすことができる。
【００７７】
また、第１及び第２接合部１６０ａ、１６０ｂと第１及び第２外部端子１８０ａ、１８０ｂの結合力が向上し、電解液の液出を防止することができ、第１及び第２接合部と第１及び第２外部端子の間の抵抗を減らすことができる。
【００７８】
また、上述したように、上記第１及び第２接合部１６０ａ、１６０ｂは屈曲部を有することができ、これにより超音波溶接の効率が向上することができる。
【００７９】
次に、図４ｃに図示されたように、電気二重層キャパシタセルＡが実装された下部ケース１７０ａに電解液を充填する。上記電解液は水系電解液または非水系電解液を使用することができる。その後、上記収納空間１７１を覆うように上部キャップ１７０ｂを上記下部ケース１７０ａ上に装着する。
【００８０】
本発明は上述した実施形態及び添付された図面によって限定されるものではなく、添付された請求範囲によって限定する。従って、請求の範囲に記載された本発明の技術的思想を外れない範囲内において当技術分野の通常の知識を有する者によって多様な形態の置換、変形及び変更が可能であり、これも本発明の範囲に属する。
【符号の説明】
【００８１】
１１０、１２０、１３０、１４０、１５０  電気二重層キャパシタ単位セル
１１１ａ、１２１ａ、１４１ａ  第１集電体
１１２ａ、１２２ａ、１４２ａ  第１端子引出部
１１１ｂ、１３１ｂ、１５１ｂ  第２集電体
１１２ｂ、１３２ｂ、１５２ｂ  第２端子引出部
１１３ａ、１１３ｂ  第１及び第２電極
１１４  分離膜
１６０ａ、１６０ｂ  第１及び第２接合部
Ａ  電気二重層キャパシタセル
１７０  外装ケース
１８０ａ、１８０ｂ  第１及び第２外部端子
【図１】
2011159977.tif 000003
【図２ａ】
2011159977.tif 000004
【図２ｂ】
2011159977.tif 000005
【図３ａ】
2011159977.tif 000006
【図３ｂ】
2011159977.tif 000007
【図４ａ】
2011159977.tif 000008
【図４ｂ】
2011159977.tif 000009
【図４ｃ】
2011159977.tif 000010